(57)【特許請求の範囲】
【請求項１】
地理的に離れた第１、第２および第３の会議室をそれぞれ撮像した複数の画像を用いて仮想的な会議室を生成する会議システムであって、
前記第１〜第３の会議室それぞれに、
第１表示面に発表用画像を表示する第１表示装置と、
前記第１表示装置の前記第１表示面および該会議室に参加する参加者を含む画角で撮像し、会議室画像を出力する撮像装置と、
別の２つの会議室それぞれに配置された前記撮像装置により撮像された２つの会議室画像を第２表示面および第３表示面にそれぞれ表示する第２表示装置および第３表示装置と、
前記第１表示装置、前記撮像装置、前記第２表示装置および前記第３表示装置を制御する制御装置と、を配置し、
前記第１表示装置、第２表示装置および第３表示装置は、前記第１表示装置が画像を表示する第１表示面、前記第２表示装置が画像を表示する第２表示面、および前記第３表示装置が画像を表示する第３表示面の向きが互いに異なるように配置され、
前記制御装置は、前記第１〜第３会議室でそれぞれの配置が共通となる配列を決定する配列決定手段と、
前記決定された配列に従って、別の２つの会議室それぞれに配置された前記撮像装置により撮像された２つの会議室画像それぞれを前記第２表示装置および前記第３表示装置のいずれに表示させるかを決定する表示画像決定手段と、を備えた会議システム。
【請求項２】
前記第１〜第３の会議室それぞれにおいて、前記第２表示面および前記第３表示面は、前記第１表示面を基準にして参加者よりも遠い位置に配置される、請求項１に記載の会議システム。
【請求項３】
前記制御装置は、前記撮像装置により出力される会議室画像のうちから前記第１表示面が表された画面部分を除いた部分画像と、前記第１表示装置により表示される発表用画像とを、別の２つの会議室に送信する送信手段と、
別の２つの会議室にそれぞれ配置された２つの前記制御装置それぞれから送信される部分画像と発表用画像とを受信する受信手段と、
前記受信された部分画像の前記画面部分に前記受信された発表用画像を合成した合成画像を生成する合成手段と、
前記合成された２つの合成画像のうち前記表示画像決定手段により決定された一方を前記第２表示装置に表示させる第２表示制御手段と、
前記合成された２つの合成画像のうち前記表示画像決定手段により決定された他方を前記第３表示装置に表示させる第３表示制御手段と、を備える請求項１または２のいずれかに記載の会議システム。
【請求項４】
前記送信手段は、第１表示装置の色プロファイルを、さらに、別の２つの会議室に送信し、
前記受信手段は、別の２つの会議室それぞれに配置された前記送信手段から前記色プロファイルをさらに受信し、
前記合成手段は、前記受信された色プロファイルと、前記第２表示装置および第３表示装置それぞれの色プロファイルとに従って、色補正量を決定し、前記受信された発表用画像を補正する画像調整手段を含む、請求項３に記載の会議システム。
【請求項５】
前記第２表示制御手段は、前記受信された部分画像の前記画面部分が前記部分画像に占める割合が所定の値以下の場合、前記第２表示装置に前記合成画像に代えて前記受信された発表用画像のみを表示させ、
前記第３表示制御手段は、前記受信された部分画像の前記画面部分が前記部分画像に占める割合が所定の値以下の場合、前記第３表示装置に、前記合成画像に代えて前記受信された発表用画像のみを表示させる、請求項３または４に記載の会議システム。
【請求項６】
地理的に離れた第１および第２の会議室をそれぞれ撮像した２つの画像を用いて仮想的な会議室を生成する会議システムであって、
前記第１の会議室に、
第１表示面に発表用画像を表示する第１表示装置と、
前記発表用画像が表示された前記第１表示面および該第１の会議室に参加する参加者を含む画角で撮像した第１会議室画像を出力する第１撮像装置と、
画像を第１表示面と対向して配置された第２表示面に表示する第２表示装置と、
前記第１表示装置と、前記第１撮像装置と、前記第２表示装置と、を制御する第１制御装置と、を配置し、
前記第１制御装置は、前記第１会議室画像を前記第２の会議室に送信する第１送信手段と、
前記第２会議室から画像を受信する第１受信手段と、を備え、
前記第２の会議室に、
前記第１会議室画像を第３表示面に表示する第３表示装置と、
前記第３表示面側から前記第２の会議室に参加する参加者を含む画角で撮像した第２会議室画像を出力する第２撮像装置と、
前記第３表示装置および前記第２撮像装置を制御する第２制御装置と、を配置し、
前記第２制御装置は、前記第１会議室画像を受信する第２受信手段と、
前記第２会議室画像を前記第１の会議室に送信する第２送信手段と、を備え、
前記第１制御装置は、第１受信手段が受信した前記第２会議室画像を、第２表示面に表示させるよう第２表示装置を制御する会議システム。
【請求項７】
前記第２の会議室は複数あり、
前記第２表示装置は、複数の前記第２の会議室からそれぞれ受信される複数の前記第２会議室画像を並べて表示する、請求項６に記載の会議システム。
【請求項８】
前記第１制御装置は、前記第１会議室画像のうちから前記第１表示面が表された画面部分を除いた部分画像と、前記第１表示装置により表示される発表用画像とを、第２の会議室に送信する送信手段を有し、
前記第２制御装置は、前記第１制御装置から送信される部分画像と発表用画像とを受信する受信手段と、
前記受信された部分画像の前記画面部分に前記受信された発表用画像を合成した合成画像を生成する合成手段と、
前記合成画像を前記第３表示装置に表示させる表示制御手段と、を備える請求項６または７のいずれかに記載の会議システム。
【請求項９】
前記送信手段は、第１表示装置の色プロファイルを、さらに、第２の会議室に送信し、
前記受信手段は、前記送信手段から前記色プロファイルをさらに受信し、
前記合成手段は、前記受信された色プロファイルと、前記第３表示装置の色プロファイルとに従って、色補正量を決定し、前記受信された発表用画像を補正する画像調整手段を含む、請求項８に記載の会議システム。
【発明の詳細な説明】
【技術分野】
【０００１】
この発明は、会議システムに関し、特に地理的に離れた複数の会議室を用いて開催される会議に適用可能な会議システムに関する。
【背景技術】
【０００２】
地理的に離れた複数の会議室を用いて開催される会議に適用される会議システムとして、それぞれの会議室の様子を撮像した画像を他の会議室で表示するテレビ会議が知られている。例えば、特開平１０−２８５５６７号公報には、多角形状に折り曲げられた画面と、この画面が内接する円の中心点と前記画面の両端を結ぶ直線で形成される扇形状の内部に設置される会議机と、前記画面の近傍に設置され前記会議机の接線方向にカメラの向きが設定されたカメラとを具備することを特徴とする通信会議装置が記載されている。
【０００３】
しかしながら、多角形状に折り曲げられた画面を配置した特殊な形状の会議室を準備しなければならないといった問題がある。また、参加者を正面から映さなければならず、参加者の姿勢が制限され、臨場感のある仮想的な会議室を形成することができないといった問題がある。また、一方の会議室で発表用の資料をスクリーンに投影等する場合、他方の会議室で、一方の会議室を撮像した画像が表示されるが、解像度が小さいために内容を把握するのが困難であるといった問題がある。このため、他方の会議室では、資料の画像のみを表示することができるが、一方の会議室の様子を撮像した画像を資料の画像と同時に表示することができないといった問題がある。
【特許文献１】特開平１０−２８５５６７号公報
【発明の概要】
【発明が解決しようとする課題】
【０００４】
この発明は上述した問題を解決するためになされたもので、この発明の目的の１つは、地理的に離れた複数の会議室を１つにした仮想的な会議室を形成することが可能な会議システムを提供することである。
【課題を解決するための手段】
【０００５】
この発明は上述した問題を解決するためになされたもので、この発明のある局面によれば、会議システムは、地理的に離れた第１、第２および第３の会議室をそれぞれ撮像した複数の画像を用いて仮想的な会議室を生成する会議システムであって、第１〜第３の会議室それぞれに、第１表示面に発表用画像を表示する第１表示装置と、第１表示装置の第１表示面および該会議室に参加する参加者を含む画角で撮像し、会議室画像を出力する撮像装置と、別の２つの会議室それぞれに配置された撮像装置により撮像された２つの会議室画像を第２表示面および第３表示面にそれぞれ表示する第２表示装置および第３表示装置と、第１表示装置、撮像装置、第２表示装置および第３表示装置を制御する制御装置と、を配置し、第１表示装置、第２表示装置および第３表示装置は、第１表示装置が画像を表示する第１表示面、第２表示装置が画像を表示する第２表示面、および第３表示装置が画像を表示する第３表示面の向きが互いに異なるように配置され、制御装置は、第１〜第３会議室でそれぞれの配置が共通となる配列を決定する配列決定手段と、決定された配列に従って、別の２つの会議室それぞれに配置された撮像装置により撮像された２つの会議室画像それぞれを第２表示装置および第３表示装置のいずれに表示させるかを決定する表示画像決定手段と、を備える。
【０００６】
この局面に従えば、第１〜第３の会議室それぞれにおいて、第１表示装置、第２表示装置および第３表示装置が、第１表示面、第２表示面、および第３表示面の向きが互いに異なるように配置され、第１〜第３会議室でそれぞれの配置が共通となる配列が決定され、決定された配列に従って、別の２つの会議室それぞれに配置された撮像装置により撮像された２つの会議室画像それぞれを第２表示装置および第３表示装置のいずれに表示させるかが決定される。このため、第１〜第３会議室それぞれにおいて、第１〜第３会議室の配置が共通となるように、他の２つの会議室を撮像した画像が表示されるので、第１〜第３会議室において参加者が並ぶ順番を同じにすることができる。その結果、地理的に離れた複数の会議室を１つにした仮想的な会議室を形成することが可能な会議システムを提供することができる。
【０００７】
好ましくは、第１〜第３の会議室それぞれにおいて、第２表示面および第３表示面は、第１表示面を基準にして参加者よりも遠い位置に配置される。
【０００８】
この局面に従えば、参加者が他の会議室を撮像した画像が表示された表示面を見る視線が、撮像手段側になるので、別の会議室の参加者がその視線がいずれの会議室に向けられているかを認識することができる。
【０００９】
好ましくは、制御装置は、撮像装置により出力される会議室画像のうちから第１表示面が表された画面部分を除いた部分画像と、第１表示装置により表示される発表用画像とを、別の２つの会議室に送信する送信手段と、別の２つの会議室にそれぞれ配置された２つの制御装置それぞれから送信される部分画像と発表用画像とを受信する受信手段と、受信された部分画像の画面部分に受信された発表用画像を合成した合成画像を生成する合成手段と、合成された２つの合成画像のうち表示画像決定手段により決定された一方を第２表示装置に表示させる第２表示制御手段と、合成された２つの合成画像のうち表示画像決定手段により決定された他方を第３表示装置に表示させる第３表示制御手段と、を備える。
【００１０】
この局面に従えば、部分画像の画面部分に発表用画像を合成した合成画像が、表示されるので、発表画像を可能な限り鮮明に表示することができる。
【００１１】
好ましくは、送信手段は、第１表示装置の色プロファイルを、さらに、別の２つの会議室に送信し、受信手段は、別の２つの会議室それぞれに配置された送信手段から色プロファイルをさらに受信し、合成手段は、受信された色プロファイルと、第２表示装置および第３表示装置それぞれの色プロファイルとに従って、色補正量を決定し、受信された発表用画像を補正する画像調整手段を含む。
【００１２】
この局面に従えば、第１表示装置の色プロファイルと、第２表示装置および第３表示装置それぞれの色プロファイルとに従って、色補正量が決定されるので、他の会議室で表示された発表用画像に近い画質で発表用画像を表示することができる。
【００１３】
好ましくは、第２表示制御手段は、受信された部分画像の画面部分が部分画像に占める割合が所定の値以下の場合、第２表示装置に合成画像に代えて受信された発表用画像のみを表示させ、第３表示制御手段は、受信された部分画像の画面部分が部分画像に占める割合が所定の値以下の場合、第３表示装置に、合成画像に代えて受信された発表用画像のみを表示させる。
【００１４】
この局面に従えば、他の会議室で表示されている発表用画像の内容を読み取れるサイズで表示することができる。
【００１５】
この発明のさらに他の局面によれば、地理的に離れた第１および第２の会議室をそれぞれ撮像した２つの画像を用いて仮想的な会議室を生成する会議システムであって、第１の会議室に、第１表示面に発表用画像を表示する第１表示装置と、発表用画像が表示された第１表示面および該第１の会議室に参加する参加者を含む画角で撮像した第１会議室画像を出力する第１撮像装置と、画像を第１表示面と対向して配置された第２表示面に表示する第２表示装置と、第１表示装置と、第１撮像装置と、第２表示装置と、を制御する第１制御装置と、を配置し、第１制御装置は、第１会議室画像を第２の会議室に送信する第１送信手段と、第２会議室から画像を受信する第１受信手段と、を備え、第２の会議室に、第１会議室画像を第３表示面に表示する第３表示装置と、第３表示面側から第２の会議室に参加する参加者を含む画角で撮像した第２会議室画像を出力する第２撮像装置と、第３表示装置および第２撮像装置を制御する第２制御装置と、を配置し、第２制御装置は、第１会議室画像を受信する第２受信手段と、第２会議室画像を第１の会議室に送信する第２送信手段と、を備え、第１制御装置は、第１受信手段が受信した第２会議室画像を、第２表示面に表示させるよう第２表示装置を制御する。
【００１６】
この局面に従えば、地理的に離れた複数の会議室を１つにした仮想的な会議室を形成することが可能な会議システムを提供することができる。
【００１７】
好ましくは、第２の会議室は複数あり、第２表示装置は、複数の第２の会議室からそれぞれ受信される複数の第２会議室画像を並べて表示する。
好ましくは、第１制御装置は、第１会議室画像のうちから第１表示面が表された画面部分を除いた部分画像と、第１表示装置により表示される発表用画像とを、第２の会議室に送信する送信手段を有し、第２制御装置は、第１制御装置から送信される部分画像と発表用画像とを受信する受信手段と、受信された部分画像の画面部分に受信された発表用画像を合成した合成画像を生成する合成手段と、合成画像を第３表示装置に表示させる表示制御手段と、を備える。
好ましくは、送信手段は、第１表示装置の色プロファイルを、さらに、第２の会議室に送信し、受信手段は、送信手段から色プロファイルをさらに受信し、合成手段は、受信された色プロファイルと、第３表示装置の色プロファイルとに従って、色補正量を決定し、受信された発表用画像を補正する画像調整手段を含む。
【図面の簡単な説明】
【００１８】
【図１】本発明の第１の実施の形態における会議システム全体の概要を示す図である。
【図２】第１会議室におけるカメラ、第１〜第４表示装置の配置の一例を示す図である。
【図３】第２会議室におけるカメラ、第１〜第４表示装置の配置を示す図である。
【図４】第３会議室におけるカメラ、第１〜第４表示装置の配置を示す図である。
【図５】ＭＦＰの外観を示す斜視図である。
【図６】ＭＦＰのハードウエア構成の一例を示すブロック図である。
【図７】ＭＦＰが備えるＣＰＵの機能の概要の一例を示すブロック図である。
【図８】第１合成部の詳細な機能の一例を示す図である。
【図９】第１〜第３仮想会議室を模式的に示す図である。
【図１０】参加者の視線を合せた第１〜第３仮想会議室を模式的に示す図である。
【図１１】発表用データ送信処理の流れの一例を示すフローチャートである。
【図１２】撮像画像送信処理の流れの一例を示すフローチャートである。
【図１３】表示制御処理の流れの一例を示すフローチャートである。
【図１４】本発明の第２の実施の形態における会議システム全体の概要を示す図である。
【図１５】第２の実施の形態における第１会議室におけるカメラ、第１および第２表示装置の配置を示す図である。
【図１６】第２の実施の形態における第２会議室におけるカメラ、第３表示装置の配置を示す図である。
【図１７】第２の実施の形態における第１仮想会議室を形成するＭＦＰが備えるＣＰＵの機能の概要の一例を示すブロック図である。
【図１８】第２の実施の形態における第２仮想会議室を形成するＭＦＰが備えるＣＰＵの機能の概要の一例を示すブロック図である。
【図１９】第２の実施の形態の変形例における仮想会議室を模式的に示す図である。
【発明を実施するための形態】
【００１９】
以下、本発明の実施の形態について図面を参照して説明する。以下の説明では同一の部品には同一の符号を付してある。それらの名称および機能も同じである。したがってそれらについての詳細な説明は繰り返さない。
【００２０】
＜第１の実施の形態＞
図１は、本発明の第１の実施の形態における会議システム全体の概要を示す図である。図１を参照して、第１の実施の形態における会議システム１は、ネットワーク２に接続された複合機（Ｍｕｌｔｉ  Ｆｕｎｃｔｉｏｎ  Ｐｅｒｉｐｈｅｒａｌ）（以下、「ＭＦＰ」という）１００，１００Ａ，１００Ｂを含む。ＭＦＰ１００は、第１会議室３００に設置され、第１会議室３００に設置されたカメラ２０１および第１〜第４表示装置２０３，２０５，２０７，２０９と、接続される。ＭＦＰ１００Ａは、第２会議室３００Ａに設置され、第２会議室３００Ａに設置されたカメラ２０１Ａおよび第１〜第４表示装置２０３Ａ，２０５Ａ，２０７Ａ，２０９Ａと、接続される。ＭＦＰ１００Ｂは、第３会議室３００Ｂに設置され、第３会議室３００Ｂに設置されたカメラ２０１Ｂおよび第１〜第４表示装置２０３Ｂ，２０５Ｂ，２０７Ｂ，２０９Ｂと、接続される。
【００２１】
第１会議室３００に設置されるＭＦＰ１００は、カメラ２０１および第１〜第４表示装置２０３，２０５，２０７，２０９を制御する制御装置として機能し、第２会議室３００Ａに設置されるＭＦＰ１００Ａは、カメラ２０１Ａおよび第１〜第４表示装置２０３Ａ，２０５Ａ，２０７Ａ，２０９Ａを制御する制御装置として機能し、第３会議室３００Ｂに設置されるＭＦＰ１００Ｂは、カメラ２０１Ｂおよび第１〜第４表示装置２０３Ｂ，２０５Ｂ，２０７Ｂ，２０９Ｂを制御する制御装置として機能する。
【００２２】
第１〜第４表示装置２０３，２０５，２０７，２０９，２０３Ａ，２０５Ａ，２０７Ａ，２０９Ａ，２０３Ｂ，２０５Ｂ，２０７Ｂ，２０９Ｂは、プロジェクタであり、画像をスクリーンに投影する。
【００２３】
ＭＦＰ１００，１００Ａ，１００Ｂそれぞれのハードウエア構成および機能は同じなので、ここでは特に言及しない限りＭＦＰ１００について説明する。また、説明のために、ＭＦＰ１００Ａが備える部材および機能に、ＭＦＰ１００が備える部材および機能に付した番号に英字「Ａ」を追加した符号を付し、ＭＦＰ１００Ｂが備える部材および機能に、ＭＦＰ１００が備える部材および機能に付した番号に英字「Ｂ」を追加した符号を付す。
【００２４】
ネットワーク２は、ローカルエリアネットワーク（ＬＡＮ）である。このため、ＭＦＰ１００，１００Ａ，１００Ｂは、互いにデータを送受信することが可能である。なお、ネットワーク２は、ＬＡＮに限らず、インターネット、ワイドエリアネットワーク（ＷＡＮ）、公衆交換電話網等であってもよい。また、ネットワーク２は、有線であってもよく、無線であってもよい。
【００２５】
図２は、第１会議室におけるカメラ、第１〜第４表示装置の配置の一例を示す図である。図２は、第１会議室３００を上から見た図である。図２を参照して、第１会議室３００には、第１表示装置２０３が画像を投影する表示面となる第１スクリーン２０４と、第２表示装置２０５が画像を投影する表示面となる第２スクリーン２０６と、第３表示装置２０７が画像を投影する表示面となる第３スクリーン２０８と、第４表示装置２０９が画像を投影する表示面となる第４スクリーン２１０と、カメラ２０１とが配置される。第１〜第４表示装置２０３，２０５，２０７，２０９は、第１会議室３００の天井に配置され、第１〜第４スクリーン２０４，２０６，２０８，２１０は、第１会議室３００の４つの壁にそれぞれ配置される。第１スクリーン２０４と第４スクリーン２１０とは対面して配置され、第２スクリーン２０６と第３スクリーン２０８とは対面して配置される。第２スクリーン２０６は、第１会議室３００内の参加者が第１スクリーン２０４に向かって右側に配置され、第３スクリーン２０８は、第１会議室３００内の参加者が第１スクリーン２０４に向かって左側に配置される。カメラ２０１は、第４スクリーン２１０の上側に配置され、第１スクリーン２０４を撮像範囲に含む画角を有する。
【００２６】
図３は、第２会議室におけるカメラ、第１〜第４表示装置の配置を示す図である。図３は、第２会議室３００Ａを上から見た図である。図３を参照して、第２会議室３００Ａには、第１表示装置２０３Ａが画像を投影する表示面となる第１スクリーン２０４Ａと、第２表示装置２０５Ａが画像を投影する表示面となる第２スクリーン２０６Ａと、第３表示装置２０７Ａが画像を投影する表示面となる第３スクリーン２０８Ａと、第４表示装置２０９Ａが画像を投影する表示面となる第４スクリーン２１０Ａと、カメラ２０１Ａとが配置される。第１〜第４表示装置２０３Ａ，２０５Ａ，２０７Ａ，２０９Ａは、第２会議室３００Ａの天井に配置され、第１〜第４スクリーン２０４Ａ，２０６Ａ，２０８Ａ，２１０Ａは、第２会議室３００Ａの４つの壁にそれぞれ配置される。第１スクリーン２０４Ａと第４スクリーン２１０Ａとは対面して配置され、第２スクリーン２０６Ａと第３スクリーン２０８Ａとは対面して配置される。第２スクリーン２０６Ａは、第２会議室３００Ａ内の人が第１スクリーン２０４Ａに向かって右側に配置され、第３スクリーン２０８Ａは、第２会議室３００Ａ内の人が第１スクリーン２０４Ａに向かって左側に配置される。カメラ２０１Ａは、第４スクリーン２１０Ａの上側に配置され、第１スクリーン２０４Ａを撮像範囲に含む画角を有する。
【００２７】
図４は、第３会議室におけるカメラ、第１〜第４表示装置の配置を示す図である。図４は、第３会議室３００Ｂを上から見た図である。図４を参照して、第３会議室３００Ｂには、第１表示装置２０３Ｂが画像を投影する表示面となる第１スクリーン２０４Ｂと、第２表示装置２０５Ｂが画像を投影する表示面となる第２スクリーン２０６Ｂと、第３表示装置２０７Ｂが画像を投影する表示面となる第３スクリーン２０８Ｂと、第４表示装置２０９Ｂが画像を投影する表示面となる第４スクリーン２１０Ｂと、カメラ２０１Ｂと、が配置される。第１〜第４表示装置２０３Ｂ，２０５Ｂ，３０７Ｂ，２０９Ｂは、第３会議室３００Ｂの天井に配置され、第１〜第４スクリーン２０４Ｂ，２０６Ｂ，２０８Ｂ，２１０Ｂは、第３会議室３００Ｂの４つの壁にそれぞれ配置される。第１スクリーン２０４Ｂと第４スクリーン２１０Ｂとは対面して配置され、第２スクリーン２０６Ｂと第３スクリーン２０８Ｂとは対面して配置される。第２スクリーン２０６Ｂは、第３会議室３００Ｂ内の参加者が第１スクリーン２０４Ｂに向かって右側に配置され、第３スクリーン２０８Ｂは、第３会議室３００Ｂ内の参加者が第１スクリーン２０４Ｂに向かって左側に配置される。カメラ２０１Ｂは、第４スクリーン２１０Ｂの上側に配置され、第１スクリーン２０４Ｂを撮像範囲に含む画角を有する。
【００２８】
本実施の形態における会議システム１は、ＭＦＰ１００，１００Ａ，１００Ｂが第１〜第３仮想会議室をそれぞれ形成する。第１〜第３仮想会議室とは、第１〜第３会議室３００，３００Ａ，３００Ｂを用いて会議する場合に、ＭＦＰ１００，１００Ａ，１００Ｂそれぞれで形成される仮想的な会議室である。例えば、ＭＦＰ１００が形成する第１仮想会議室において、第１会議室３００に参加する参加者は、第１会議室３００内の他の参加者を肉眼で確認し、第２会議室３００Ａおよび第３会議室３００Ｂの様子を第２〜第４スクリーン２０６，２０８，２１０のいずれかに表示された画像で確認する。ＭＦＰ１００Ａが形成する第２仮想会議室において、第２会議室３００Ａに参加する参加者は、第２会議室３００Ａ内の他の参加者を肉眼で確認し、第１会議室３００および第３会議室３００Ｂの様子を、第２〜第４スクリーン２０６Ａ，２０８Ａ，２１０Ａのいずれかに表示された画像で確認する。ＭＦＰ１００Ｂが形成する第３仮想会議室において、第３会議室３００Ｂに参加する参加者は、第３会議室３００Ｂ内の他の参加者を肉眼で確認し、第１会議室３００および第２会議室３００Ａの様子を、第２〜第４スクリーン２０６Ｂ，２０８Ｂ，２１０Ｂのいずれかに表示された画像で確認する。
【００２９】
ＭＦＰ１００，１００Ａ，１００Ｂがそれぞれ形成する第１〜第３仮想会議室において、第１〜第３会議室３００，３００Ａ，３００Ｂそれぞれに参加する参加者の配列順はすべて同じになる。このため、第１〜第３仮想会議室における第１〜第３会議室３００，３００Ａ，３００Ｂの配列順番を予め定めておく必要がある。第１〜第３仮想会議室における第１〜第３会議室３００，３００Ａ，３００Ｂの配列順番は、ＭＦＰ１００，１００Ａ，１００Ｂのいずれか１つで定められれば良い。ここでは、第１会議室３００に設置されたＭＦＰ１００において、第１〜第３会議室３００，３００Ａ，３００Ｂの配列順番が定められる場合を例に説明する。
【００３０】
図５は、ＭＦＰの外観を示す斜視図である。図５を参照して、ＭＦＰ１００は、操作パネル９と、自動原稿搬送装置（ＡＤＦ）１０と、原稿読取部２０と、画像形成部３０と、給紙部４０と、を含む。
【００３１】
ＡＤＦ１０は、原稿給紙トレイ１１上にセットされた複数枚の原稿を１枚ずつ自動的に原稿読取部２０のプラテンガラス上に設定された所定の原稿読取位置まで搬送し、原稿読取部２０により原稿画像が読み取られた原稿を原稿排紙トレイ上に排出する。原稿読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、メモリに記憶する、または画像形成部３０に出力する。
【００３２】
画像形成部３０は、周知の電子写真方式により画像を形成するものであって、原稿読取部２０から入力される画像データにシェーディング補正などの各種のデータ処理を施し、データ処理後の画像データに基づいて、給紙部４０により搬送される用紙に画像を形成する。給紙部４０は、給紙トレイに収納された用紙を画像形成部３０に搬送する。
【００３３】
図６は、ＭＦＰのハードウエア構成の一例を示すブロック図である。図６を参照して、ＭＦＰ１００は、メイン回路１０１と、ＡＤＦ１０と、原稿読取部２０と、画像形成部３０と、給紙部４０と、ユーザインターフェースとしての操作パネル９と、を含む。
【００３４】
メイン回路１０１は、ＣＰＵ１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１５と、大容量記憶装置としてのハードディスクドライブ（ＨＤＤ）１１６と、ファクシミリ部１１７と、ネットワークＩ／Ｆ１１８と、フラッシュメモリ１１９Ａが装着されるカードＩ／Ｆ１１９とを含む。ＣＰＵ１１１は、ＡＤＦ１０、原稿読取部２０、画像形成部３０、給紙部４０および操作パネル９と接続され、ＭＦＰ１００の全体を制御する。
【００３５】
ＲＯＭ１１３は、ＣＰＵ１１１が実行するプログラム、およびそのプログラムを実行するために必要なデータを記憶する。ＲＡＭ１１４は、ＣＰＵ１１１がプログラムを実行する際の作業領域として用いられる。
【００３６】
通信Ｉ／Ｆ部１１２は、カメラ２０１、第１〜第４表示装置２０３，２０５，２０７，２０９が接続されるインターフェースである。なお、通信Ｉ／Ｆ部１１２と、カメラ２０１、第１〜第４表示装置２０３，２０５，２０７，２０９との接続形態は、有線であっても無線であってもよい。
【００３７】
ファクシミリ部１１７は、公衆交換電話網（ＰＳＴＮ）に接続され、ＰＳＴＮにファクシミリデータを送信する、またはＰＳＴＮからファクシミリデータを受信する。ファクシミリ部１１７は、受信したファクシミリデータを、ＨＤＤ１１６に記憶する、または画像形成部３０に出力する。画像形成部３０は、ファクシミリ部１１７により受信されたファクシミリデータを用紙に印刷する。また、ファクシミリ部１１７は、ＨＤＤ１１６に記憶されたデータをファクシミリデータに変換して、ＰＳＴＮに接続されたファクシミリ装置に送信する。
【００３８】
ネットワークＩ／Ｆ１１８は、ＭＦＰ１００をネットワーク２に接続するためのインターフェースである。カードＩ／Ｆ１１９は、フラッシュメモリ１１９Ａが装着される。ＣＰＵ１１１は、カードＩ／Ｆ１１９を介してフラッシュメモリ１１９Ａにアクセス可能であり、フラッシュメモリ１１９Ａに記憶されたプログラムをＲＡＭ１１４にロードして実行可能である。なお、ＣＰＵ１１１が実行するプログラムは、フラッシュメモリ１１９Ａに記憶されたプログラムに限られず、他の記憶媒体に記憶されたプログラムでもよく、ＨＤＤ１１６に記憶されたプログラムであってもよく、さらに、ネットワークＩ／Ｆ１１８を介してネットワーク２に接続された他のコンピュータによりＨＤＤ１１６に書き込みされたプログラムであってもよい。
【００３９】
なお、プログラムを記憶する記憶媒体としては、フラッシュメモリ１１９Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などの半導体メモリでもよい。
【００４０】
ここでいうプログラムは、ＣＰＵ１１１が直接実行可能なプログラムだけでなく、ソースプログラム、圧縮処理されたプログラム、暗号化されたプログラム等を含む。
【００４１】
操作パネル９は、ＭＦＰ１００の上面に設けられ、表示部１０３と操作部１０５とを含む。操作パネル９は、表示部１０３と、操作部１０５とを含む。表示部１０３は、液晶表示装置、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した表示データに関する情報等を表示する。
【００４２】
操作部１０５は、ユーザの操作を受け付け、受け付けられた操作をＣＰＵ１１１に出力する。操作部１０５は、表示部１０３の上に重畳して配置されたタッチパネルを含む。タッチパネルは、透明な部材からなり、表示部１０３に重畳して配置される。操作部１０５は、ユーザがタッチパネルを指で触れると、触れられた位置を指示位置として検出し、ＣＰＵ１１１に出力する。
【００４３】
図７は、ＭＦＰが備えるＣＰＵの機能の概要の一例を示すブロック図である。図７に示すＣＰＵ１１１の機能は、ＣＰＵ１１１がＲＯＭ１１３、ＥＥＰＲＯＭ１１５、ＨＤＤ１１６またはフラッシュメモリ１１９Ａに記憶された表示制御プログラムを実行することにより実現される。
【００４４】
図７を参照して、ＣＰＵ１１１は、カメラ２０１を制御する撮像制御部５１と、撮像制御部５１がカメラ２０１から受信する動画像からスクリーンの領域を抽出するスクリーン領域抽出部５３と、動画像からスクリーン領域を除いた部分画像を生成する部分画像生成部５５と、ＭＦＰ１００Ａ、１００Ｂにデータを送信する送信部５７と、ユーザによる操作を受け付ける操作受付部５９と、表示データを取得する表示データ取得部６１と、第１表示装置２０３を制御する第１表示制御部７１と、第１〜第３会議室３００Ｂの配列を決定する配列決定部６５と、ＭＦＰ１００Ａ、１００Ｂからデータを受信する受信部６３と、第２〜第４表示装置２０５，２０７，２０８に表示する画像を決定する表示画像決定部６７と、第１合成部６９と、第２合成部７０と、第２表示装置２０３を制御する第２表示制御部７２と、第３表示装置２０７を制御する第３表示制御部７３と、第４表示装置２０９を制御する第４表示制御部７４と、を含む。
【００４５】
操作受付部５９は、ユーザが操作部１０５に入力する操作を受け付ける。操作受付部５９は、ユーザがファイル一覧を表示する指示を操作部１０５に入力すると、ＥＥＰＲＯＭ１１５に予め記憶されたデータを識別するためのファイル名を含むファイル一覧を表示する。ファイル一覧は、ＥＥＰＲＯＭ１１５に複数の発表用データが記憶されている場合、複数の発表用データをそれぞれ識別するための複数のファイル名を含む。操作受付部５９は、ユーザがファイル一覧に含まれるファイル名を選択する操作を操作部１０５に入力すると、選択指示を送信部５７および表示データ取得部６１に出力する。選択指示は、ユーザにより選択されたファイル名を含む。ここでは、ＥＥＰＲＯＭ１１５に記憶された第１発表用データがユーザにより選択された場合を例に説明する。
【００４６】
さらに、操作受付部５９は、ユーザが、操作部１０５に入力する第１〜第３会議室３００，３００Ａ，３００Ｂの配列順番を受け付け、受け付けられた配列順番を配列決定部６５および送信部５７に出力する。ここでは、配列順番を、左から順に第３会議室３００Ｂ、第１会議室３００、第２会議室３００Ａとする場合を例に説明する。
【００４７】
表示データ取得部６１は、操作受付部５９から選択指示が入力されると、入力された選択指示に含まれるファイル名で特定される第１発表用データをＥＥＰＲＯＭ１１５から読み出し、読出された第１発表用データを第１表示制御部７１および送信部５７に出力する。第１表示制御部７１は、表示データ取得部６１から入力される第１発表用データを、第１表示装置２０３に出力し、第１表示装置２０３に第１発表用データの画像を表示させる。また、第１表示制御部７１は、第１表示制御部７１が第１発表用データを表示する際に用いた第１パラメータを、送信部５７に出力する。第１パラメータは、例えば、第１表示装置２０３の色プロファイルを含む。
【００４８】
撮像制御部５１は、カメラ２０１を制御し、カメラ２０１が撮像して出力する動画像を取得する。カメラ２０１は、上述したように、その画角が第１スクリーン２０４と第１会議室３００の参加者を被写体として含む撮像範囲となるように定められている。このため、カメラ２０１が出力する動画像は、第１スクリーン２０４が表された画像を含む。撮像制御部５１は、カメラ２０１から取得される動画像をリアルタイムでスクリーン領域抽出部５３に出力する。
【００４９】
スクリーン領域抽出部５３は、撮像制御部５１から入力される動画像から第１スクリーン２０４が表されたスクリーン領域を抽出する。具体的には、動画像に含まれるフレームごとに、第１スクリーン２０４が表されたスクリーン領域を抽出する。例えば、第１スクリーン２０４の輪郭は矩形なのでフレームを微分したエッジ画像の中央付近に存在する矩形のエッジで囲まれた領域をスクリーン領域として抽出する。スクリーン領域抽出部５３は、撮像制御部５１から入力される動画像と、その動画中の第１スクリーン２０４が表されたスクリーン領域の位置を示す第１表示領域情報とを、部分画像生成部５５に出力する。また、スクリーン領域抽出部５３は、撮像制御部５１から入力される動画像から、レーザポインタが照射された部分を検出するようにしてもよい。この場合、第１表示領域情報は、検出されたレーザポインタが照射された部分のフレーム中の位置を指示位置として含む。
【００５０】
部分画像生成部５５は、スクリーン領域抽出部５３から動画像と、第１表示領域情報とが入力され、第１表示領域情報に基づいて動画像からスクリーン領域を除くことによって、第１部分画像を生成する。具体的には、動画像に含まれるフレームの第１表示領域情報で特定される領域の画素の値を「０」にしたフレームに変換することにより、第１部分画像を生成する。部分画像生成部５５は、生成された第１部分画像と第１表示領域情報とを送信部５７に出力する。
【００５１】
送信部５７は、表示データ取得部６１から入力される第１発表用データと、第１表示制御部７１から入力される第１パラメータとの組を、ネットワークＩ／Ｆ１１８を介して、ＭＦＰ１００Ａ，１００Ｂそれぞれに送信する。また、送信部５７は、部分画像生成部５５から入力される第１部分画像と第１表示領域情報とを、ネットワークＩ／Ｆ１１８を介して、ＭＦＰ１００Ａ，１００Ｂそれぞれに送信する。第１部分画像は、例えば、ストリーミング配信の技術を用いて、リアルタイムで送信する。さらに、送信部５７は、操作受付部５９から配列順番が入力されると、入力された配列順番を、ネットワークＩ／Ｆ１１８を介して、ＭＦＰ１００Ａ，１００Ｂそれぞれに送信する。
【００５２】
ここまで説明したＭＦＰ１００が備えるＣＰＵ１１１の機能に対応するＭＦＰ１００Ａ，１００Ｂそれぞれが備えるＣＰＵ１１１Ａ，１１１Ｂの機能それぞれについて説明する。第２仮想会議室を形成するＭＦＰ１００Ａが備えるＣＰＵ１１１Ａにおいて、表示データ取得部６１Ａは、ユーザがファイル名を選択すると、選択されたファイル名で特定される第２発表用データをＥＥＰＲＯＭ１１５Ａから読み出し、読出された第２発表用データを第１表示制御部７１Ａおよび送信部５７Ａに出力する。第１表示制御部７１Ａは、第２発表用データを、第１表示装置２０３Ａに出力し、第１表示装置２０３Ａに第２発表用データの画像を表示させる。また、第１表示制御部７１Ａは、第１表示制御部７１Ａが第２発表用データを表示する際に用いた第２パラメータを、送信部５７Ａに出力する。第２パラメータは、第１表示装置２０３Ａの色プロファイルを含む。
【００５３】
撮像制御部５１Ａは、カメラ２０１Ａを制御し、カメラ２０１Ａが撮像して出力する動画像を取得する。カメラ２０１Ａは、上述したように、その画角が第１スクリーン２０４Ａと第２会議室３００Ａの参加者を被写体として含む撮像範囲となるように定められている。このため、カメラ２０１Ａが出力する動画像は、第１スクリーン２０４Ａが表された画像を含む。撮像制御部５１Ａは、カメラ２０１Ａから取得される動画像をリアルタイムでスクリーン領域抽出部５３Ａに出力する。
【００５４】
スクリーン領域抽出部５３Ａは、撮像制御部５１Ａから入力される動画像から第１スクリーン２０４Ａが表されたスクリーン領域を抽出し、撮像制御部５１Ａから入力される動画像と、その動画中の第１スクリーン２０４Ａが表されたスクリーン領域の位置を示す第２表示領域情報とを、部分画像生成部５５Ａに出力する。また、スクリーン領域抽出部５３Ａは、撮像制御部５１Ａから入力される動画像から、レーザポインタが照射された部分を検出するようにしてもよい。この場合、第２表示領域情報は、検出されたレーザポインタが照射された部分のフレーム中の位置を指示位置として含む。
【００５５】
部分画像生成部５５Ａは、スクリーン領域抽出部５３Ａから動画像と、第２表示領域情報とが入力され、第２表示領域情報に基づいて動画像からスクリーン領域を除くことによって、第２部分画像を生成する。部分画像生成部５５Ａは、生成された第２部分画像と第２表示領域情報とを送信部５７に出力する。
【００５６】
送信部５７Ａは、表示データ取得部６１Ａから入力される第２発表用データと、第１表示制御部７１Ａから入力される第２パラメータとの組を、ネットワークＩ／Ｆ１１８Ａを介して、ＭＦＰ１００，１００Ｂそれぞれに送信する。また、送信部５７Ａは、部分画像生成部５５Ａから入力される第２部分画像と第２表示領域情報とを、ネットワークＩ／Ｆ１１８Ａを介して、ＭＦＰ１００，１００Ｂそれぞれに送信する。第２部分画像は、例えば、ストリーミング配信の技術を用いて、リアルタイムで送信する。
【００５７】
第３仮想会議室を形成するＭＦＰ１００Ｂが備えるＣＰＵ１１１Ｂにおいて、表示データ取得部６１Ｂは、ユーザがファイル名を選択すると、選択されたファイル名で特定される第３発表用データをＥＥＰＲＯＭ１１５Ｂから読み出し、読出された第３発表用データを第１表示制御部７１Ｂおよび送信部５７Ｂに出力する。第１表示制御部７１Ｂは、第３発表用データを、第１表示装置２０３Ｂに出力し、第１表示装置２０３Ｂに第３発表用データの画像を表示させる。また、第１表示制御部７１Ｂは、第１表示制御部７１Ｂが第３発表用データを表示する際に用いた第３パラメータを、送信部５７Ｂに出力する。第３パラメータは、第１表示装置２０３Ｂの色プロファイルを含む。
【００５８】
撮像制御部５１Ｂは、カメラ２０１Ｂを制御し、カメラ２０１Ｂが撮像して出力する動画像を取得する。カメラ２０１Ｂは、上述したように、その画角が第１スクリーン２０４Ｂと第３会議室３００Ｂの参加者を被写体として含む撮像範囲となるように定められている。このため、カメラ２０１Ｂが出力する動画像は、第１スクリーン２０４Ｂが表された画像を含む。撮像制御部５１Ｂは、カメラ２０１Ｂから取得される動画像をリアルタイムでスクリーン領域抽出部５３Ｂに出力する。
【００５９】
スクリーン領域抽出部５３Ｂは、撮像制御部５１Ｂから入力される動画像から第１スクリーン２０４Ｂが表されたスクリーン領域を抽出し、撮像制御部５１Ｂから入力される動画像と、その動画中の第１スクリーン２０４Ｂが表されたスクリーン領域の位置を示す第３表示領域情報とを、部分画像生成部５５Ｂに出力する。また、スクリーン領域抽出部５３Ｂは、撮像制御部５１Ｂから入力される動画像から、レーザポインタが照射された部分を検出するようにしてもよい。この場合、第３表示領域情報は、検出されたレーザポインタが照射された部分のフレーム中の位置を指示位置として含む。
【００６０】
部分画像生成部５５Ｂは、スクリーン領域抽出部５３Ｂから動画像と、第３表示領域情報とが入力され、第３表示領域情報に基づいて動画像からスクリーン領域を除くことによって、第３部分画像を生成する。部分画像生成部５５Ｂは、生成された第３部分画像と第３表示領域情報とを送信部５７に出力する。
【００６１】
送信部５７Ｂは、表示データ取得部６１Ｂから入力される第３発表用データと、第１表示制御部７１Ｂから入力される第３パラメータとの組を、ネットワークＩ／Ｆ１１８Ｂを介して、ＭＦＰ１００，１００Ａそれぞれに送信する。また、送信部５７Ｂは、部分画像生成部５５Ｂから入力される第３部分画像と第３表示領域情報とを、ネットワークＩ／Ｆ１１８Ｂを介して、ＭＦＰ１００，１００Ａそれぞれに送信する。第３部分画像は、例えば、ストリーミング配信の技術を用いて、リアルタイムで送信する。
【００６２】
ＭＦＰ１００が備えるＣＰＵ１１１の機能の説明に戻る。受信部６３は、ネットワークＩ／Ｆ１１８を制御して、ＭＦＰ１００Ａが送信する第２発表用データと第２パラメータとの組、第２部分画像と第２表示領域情報の組とを受信する。また、受信部６３は、ネットワークＩ／Ｆ１１８を制御して、ＭＦＰ１００Ｂが送信する第３発表用データと第３パラメータとの組、第３部分画像と第３表示領域情報との組を受信する。受信部６３は、第２発表用データと第２パラメータとの組、第２部分画像と第２表示領域情報との組、第３発表用データと第３パラメータとの組、第３部分画像と第３表示領域情報との組を、表示画像決定部６７に出力する。
【００６３】
配列決定部６５は、第１仮想会議室における第１〜第３会議室３００，３００Ａ，３００Ｂの配列順番を決定する。具体的には、配列決定部６５は、操作受付部５９から配列順番が入力される場合、入力された配列順番を、表示画像決定部６７に出力し、受信部６３から配列順番が入力される場合、受信部６３から入力される配列順番を表示画像決定部６７に出力する。ここでは、操作受付部５９から配列順番が入力されるので、配列決定部６５は、操作受付部５９から入力された配列順番を、表示画像決定部６７に出力する。なお、ＭＦＰ１００Ａにおいては、ＭＦＰ１００から配列順番を受信するので、配列決定部６５Ａは、受信部６３Ａから入力される配列順番を表示画像決定部６７Ａに出力する。同様に、ＭＦＰ１００Ｂが備えるＣＰＵ１００Ｂが有する配列決定部６５Ｂは、受信部６３Ｂから入力される配列順番を表示画像決定部６７Ｂに出力する。
【００６４】
表示画像決定部６７は、配列決定部６５から配列順番が入力され、受信部６３から第２発表用データと第２パラメータとの組、第２部分画像と第２表示領域情報との組、第３発表用データと第３パラメータとの組、第３部分画像と第３表示領域情報との組が入力される。表示画像決定部６７は、配列決定部６５から入力される配列順番に基づいて、第２部分画像および第３部分画像それぞれを第２〜第４表示装置２０５，２０７，２０９のいずれに表示させるかを決定する。
【００６５】
表示画像決定部６７は、第１会議室３００で表示される第１表示データが表示される第１スクリーン２０４を基準にして、第２部分画像および第３部分画像それぞれを第２〜第４表示装置２０５，２０７，２０９のいずれに表示させるかを決定する。ここでは、配列順番を、左から順に第３会議室３００Ｂ、第１会議室３００、第２会議室３００Ａの順にしている。このため、表示画像決定部６７は、第１スクリーン２０４の左側に配置された第３スクリーン２０８に第３会議室３００Ｂを撮像した画像を含む第３部分画像が表示されるように、第３部分画像を表示する表示装置を第３表示装置２０７に決定し、第１スクリーン２０４の右側に配置された第２スクリーン２０６に第２会議室を撮像した画像を含む第２部分画像が表示されるように、第２部分画像を表示させる表示装置を第２表示装置２０５に決定する。表示画像決定部６７は、第１合成部６９に、第２部分画像と第２表示領域情報との組、第２発表用データと第２パラメータとの組、および第２表示装置２０５を識別するための装置識別情報とを出力する。また、表示画像決定部６７は、第２合成部７０に、第３部分画像と第３表示領域情報との組、第３発表用データと第３パラメータとの組、および第３表示装置２０７を識別するための装置識別情報とを出力する。
【００６６】
第１合成部６９は、第２部分画像の第２表示領域情報で特定される領域に、第２発表用データを合成した第１合成画像を生成する。第１合成部６９は、第２表示領域情報が指示位置を含む場合、第１合成画像の指示位置で特定される部分に、レーザポインタが照射されたことを示す画像を合成する。第１合成部６９は、入力される装置識別情報で特定される第２表示装置２０５を制御する第２表示制御部７２に、生成された第１合成画像を出力する。第２部分画像の第２表示領域情報で特定される領域に、第２発表用データを合成するので、第１合成画像中で第２発表画用データを可能な限り鮮明な画像とすることができる。
【００６７】
第２合成部７０は、第３部分画像の第３表示領域情報で特定される領域に、第３発表用データを合成した第２合成画像を生成する。第２合成部７０は、第３表示領域情報が指示位置を含む場合、第２合成画像の指示位置で特定される部分に、レーザポインタが照射されたことを示す画像を合成する。第２合成部７０は、入力される装置識別情報で特定される第３表示装置２０７を制御する第３表示制御部７３に、生成された第２合成画像を出力する。第３部分画像の第３表示領域情報で特定される領域に、第３発表用データを合成するので、第２合成画像中で第３発表画用データを可能な限り鮮明な画像とすることができる。
【００６８】
第２表示制御部７２は、第２表示装置２０５を制御し、第２表示装置２０５に画像を表示させる。第３表示制御部７３は、第３表示装置２０７を制御し、第３表示装置２０７に画像を表示させる。第４表示制御部７４は、第４表示装置２０９を制御し、第４表示装置２０９に画像を表示させる。ここでは、第２表示制御部７２に、第１合成画像が入力され、第３表示制御部７３に第２合成画像が入力される。第２表示制御部７２は、第２表示装置２０５に第２会議室３００Ａを撮像した画像を含む第１合成画像を投影させるので、第２スクリーン２０６に第２会議室３００Ａを撮像した画像が表示される。第３表示制御部７３は、第３表示装置２０７に第３会議室３００Ｂを撮像した画像を含む第２合成画像を投影させるので、第３スクリーン２０８に第３会議室３００Ｂを撮像した画像が表示される。第１会議室３００は、第１スクリーン２０４の左側に第３スクリーン２０８が配置され、第１スクリーンの右側に第２スクリーン２０６が配置されているので、第１会議室３００の参加者は、第１スクリーン２０４の左側に第３会議室３００Ｂを撮像した画像を見ることができ、第１スクリーン２０４の右側に第２会議室３００Ａを撮像した画像を見ることができる。
【００６９】
上記ＭＦＰ１００が備えるＣＰＵ１１１の機能に対応するＭＦＰ１００Ａ，１００Ｂそれぞれが備えるＣＰＵ１１１Ａ，１１１Ｂの機能それぞれについてさらに説明する。第２仮想会議室を形成するＭＦＰ１００Ａが備えるＣＰＵ１１１Ａが有する表示画像決定部６７Ａは、第１スクリーン２０４Ａに第２会議室３００Ａで表示される第２表示用データが表示されるので、第１スクリーンの左側に配置された第３スクリーン２０８Ａに第１会議室３００を撮像した画像を含む第１部分画像が表示されるように、第１部分画像を表示する表示装置を第３表示装置２０７Ａに決定し、第４スクリーン２１０Ａに第３会議室３００Ｂを撮像した画像を含む第３部分画像が表示されるように、第３部分画像を表示する表示装置を第４表示装置２０９Ａに決定する。
【００７０】
ＭＦＰ１００Ａが備えるＣＰＵ１１１Ａが有する表示画像決定部６７Ａは、第１合成部６９Ａに、第１部分画像と第１表示領域情報との組、第１発表用データと第１パラメータとの組、および第３表示装置２０７Ａを識別するための装置識別情報とを出力する。また、表示画像決定部６７Ａは、第２合成部７０Ａに、第３部分画像と第３表示領域情報との組、第３発表用データと第３パラメータとの組、および第４表示装置２０９Ａを識別するための装置識別情報とを出力する。
【００７１】
第１合成部６９Ａは、第１部分画像の第１表示領域情報で特定される領域に、第１発表用データを合成した第１合成画像を生成する。第１合成部６９Ａは、入力される装置識別情報で特定される第３表示装置２０７Ａを制御する第３表示制御部７３Ａに、生成された第１合成画像を出力する。第２合成部７０Ａは、第３部分画像の第３表示領域情報で特定される領域に、第３発表用データを合成した第２合成画像を生成する。第２合成部７０Ａは、入力される装置識別情報で特定される第４表示装置２０９Ａを制御する第４表示制御部７４Ａに、生成された第２合成画像を出力する。
【００７２】
さらに、第３表示制御部７３Ａは、第３表示装置２０７Ａに第１会議室３００を撮像した画像を含む第１合成画像を投影させるので、第３スクリーン２０８Ａに第１会議室３００を撮像した画像が表示される。第４表示制御部７４Ａは、第４表示装置２０７Ａに第３会議室３００Ｂを撮像した画像を含む第２合成画像を投影させるので、第４スクリーン２１０Ａに第３会議室３００Ｂを撮像した画像が表示される。第２会議室３００Ａは、第１スクリーン２０４Ａの左側に第３スクリーン２０８Ａが配置され、さらにその左側に第４スクリーン２１０Ａが配置されているので、第２会議室３００Ａの参加者は、第１スクリーン２０４Ａの左側に第１会議室３００を撮像した画像を見ることができ、さらにその左側に第３会議室３００Ｂを撮像した画像を見ることができる。
【００７３】
また、第３仮想会議室を形成するＭＦＰ１００Ｂが備えるＣＰＵ１１１Ｂが有する表示画像決定部６７Ｂは、第１スクリーン２０４Ｂに第３表示用データが表示されるので、第１スクリーン２０４Ｂの左側に配置された第２スクリーン２０６Ｂに第１会議室を撮像した画像が表示されるように、第１部分画像を表示する表示装置を第２表示装置２０５Ｂに決定し、第４スクリーン２１０Ｂに第２会議室を撮像した画像が表示されるように、第２部分画像を表示する表示装置を第４表示装置２０９Ｂに決定する。ＭＦＰ１００Ｂが備えるＣＰＵ１１１Ｂが有する表示画像決定部６７Ｂは、第１合成部６９Ｂに、第１部分画像と第１表示領域情報との組、第１発表用データと第１パラメータとの組、および第２表示装置２０５Ｂを識別するための装置識別情報とを出力する。また、表示画像決定部６７Ｂは、第２合成部７０Ｂに、第２部分画像と第２表示領域情報との組、第２発表用データと第２パラメータとの組、および第４表示装置２０９Ｂを識別するための装置識別情報とを出力する。
【００７４】
第１合成部６９Ｂは、第１部分画像の第１表示領域情報で特定される領域に、第１発表用データを合成した第１合成画像を生成する。第１合成部６９Ｂは、入力される装置識別情報で特定される第２表示装置２０５Ｂを制御する第２表示制御部７２Ｂに、生成された第１合成画像を出力する。第２合成部７０Ｂは、第２部分画像の第２表示領域情報で特定される領域に、第２発表用データを合成した第２合成画像を生成する。第２合成部７０Ｂは、入力される装置識別情報に基づいて、第４表示装置２０９Ｂを制御する第４表示制御部７４Ｂに、生成された第２合成画像を出力する。
【００７５】
第２表示制御部７２Ｂは、第２表示装置２０５Ｂに第１会議室３００を撮像した画像を含む第１合成画像を投影させるので、第２スクリーン２０６Ｂに第１会議室３００を撮像した画像が表示される。第４表示制御部７４Ｂは、第４表示装置２０９Ｂに第２会議室３００Ａを撮像した画像を含む第２合成画像を投影させるので、第４スクリーン２１０Ｂに第２会議室３００Ａを撮像した画像が表示される。第３会議室３００Ｂは、第１スクリーン２０４Ｂの右側に第２スクリーン２０６Ｂが配置され、さらにその右側に第４スクリーン２１０Ｂが配置されているので、第３会議室３００Ｂの参加者は、第１スクリーン２０４Ｂの右側に第１会議室３００を撮像した画像を見ることができ、さらにその右側に第２会議室３００Ａを撮像した画像を見ることができる。
【００７６】
図８は、第１合成部の詳細な機能の一例を示す図である。図８においては、第１合成部に、第２部分画像、第２表示領域情報、第２発表用データおよび第２パラメータが入力される場合を例に示している。図８を参照して、第１合成部６９は、スクリーン領域検知部８１と、スクリーン係数決定部８３と、発表用画像取得部８５と、変形部８７と、発表画像合成部８９と、画像調整部９０と、を含む。
【００７７】
スクリーン領域検知部８１は、第２表示領域情報が入力される。スクリーン領域検知部８１は、第２表示領域情報により特定される第２部分画像中のスクリーン領域を検知する。スクリーン領域検知部８１は、検知した第２部分画像中のスクリーン領域を、スクリーン係数決定部８３に出力する。スクリーン係数決定部８３は、スクリーン領域検知部８１から入力されるスクリーン領域が、画面全体に占める割合を算出し、算出された割合を示すスクリーン係数を決定する。スクリーン係数決定部８３は、決定されたらスクリーン係数を、変形部８７に出力する。
【００７８】
発表用画像取得部８５は、第２発表用データが入力される。発表用画像取得部８５は、第２発表用データに基づいて発表用画像を取得し、取得された発表用画像を変形部８７に出力する。発表用画像は、例えば、第２会議室３００Ａにおいて表示されている画像と同じ画像であり、第２発表用データが複数ページで構成される場合には、複数ページのうちから第２会議室３００Ａのユーザにより選ばれたページの画像である。
【００７９】
変形部８７は、スクリーン係数に基づいて、発表用画像取得部８５から入力される発表用画像を変形し、変形後の発表用画像を発表画像合成部８９に出力する。具体的には、発表用画像を、スクリーン係数に基づいて縮小する。なお、変形部８７は、スクリーン係数が所定の値以下の場合、発表用画像取得部８５から入力される発表用画像を縮小することなく、発表用画像を発表画像合成部８９に出力する。
【００８０】
発表画像合成部８９は、第２部分画像の第２表示領域情報により特定される領域に、変形部８７から入力される発表用画像を合成することにより、第１合成画像を生成する。なお、発表画像合成部８９は、変形部８７から入力される発表用画像のサイズが縮小されていない場合、第２部分画像に発表用画像を合成することなく、発表用画像のみを画像調整部９０に出力する。これにより、第２部分画像中に占めるスクリーンの領域の割合が所定の値よりも小さい場合には、発表用画像のみが表示される。このため、発表用画像の内容を読み取れるサイズで表示することができる。
【００８１】
画像調整部９０は、表示画像決定部６７から装置識別情報、ここでは、第２表示装置２０５Ｂの装置識別情報と、第２パラメータとが入力される。画像調整部９０は、表示画像決定部６７から入力される装置識別情報で特定される第２表示装置２０５Ｂに対して予め定められた色プロファイルを読み出し、表示画像決定部６７から入力される第２パラメータと、読み出された第２表示装置２０５Ｂの色プロファイルとに基づいて、色の補正量を決定する。そして、画像調整部９０は、決定された補正量で第１合成画像の発表用画像の部分を、他の部分と独立して補正する。このため、第２会議室３００Ａで表示されている第２発表用データの色温度に近い色温度の画像を第２表示装置２０５Ｂに表示させることができる。
【００８２】
第２合成部７０は、第１合成部６９と、取り扱うデータが異なるのみで、機能は同じである。したがってここでは説明を繰り返さない。
【００８３】
図９（Ａ）は、第１仮想会議室を模式的に示す図である。図９（Ａ）は、第１仮想会議室を上から見た図である。図９（Ａ）を参照して、第１仮想会議室は、第１会議室３００の参加者に知覚される仮想的な空間である。上述したように、第１会議室３００に配置された第２スクリーン２０６に第２会議室３００Ａを撮像した画像が表示され、第１会議室３００に配置された第３スクリーン２０８に第３会議室３００Ｂを撮像した画像が表示される。このため、第１会議室３００の参加者は、第１スクリーン２０４に向かって左側に第３会議室３００Ｂ３００Ｂの様子を確認でき、第１スクリーン２０４に向かって右側に第２会議室３００Ａの様子を確認できる。したがって、第１会議室３００の参加者は、第１スクリーン２０４に向かって左側に第３会議室３００Ｂの空間が配置され、第１スクリーン２０４に向かって右側に第２会議室３００Ａの空間が配置されているように知覚する。
【００８４】
図９（Ｂ）は、第２仮想会議室を模式的に示す図である。図９（Ｂ）は、第２仮想会議室を上から見た図である。図９（Ｂ）を参照して、第２仮想会議室は、第２会議室３００Ａの参加者に知覚される仮想的な空間である。上述したように、第２会議室３００Ａに配置された第３スクリーン２０８に第１会議室３００を撮像した画像が表示され、第２会議室３００Ａに配置された第４スクリーン２１０Ａに第３会議室３００Ｂを撮像した画像が表示される。このため、第２会議室３００Ａの参加者は、第１スクリーン２０４Ａに向かって左側に第１会議室３００の様子を確認でき、さらに、その左側に第３会議室３００Ｂの様子を確認できる。したがって、第２会議室３００Ａの参加者は、第１スクリーン２０４Ａに向かって左側に第１会議室３００の空間が配置され、さらにその左側に第３会議室３００Ｂの空間が配置されているように知覚する。
【００８５】
図９（Ｃ）は、第３仮想会議室を模式的に示す図である。図９（Ｃ）は、第３仮想会議室を上から見た図である。図９（Ｃ）を参照して、第３仮想会議室は、第３会議室３００Ｂの参加者に知覚される仮想的な空間である。上述したように、第３会議室３００Ｂに配置された第２スクリーン２０６に第１会議室３００を撮像した画像が表示され、第３会議室３００Ｂに配置された第４スクリーン２１０Ｂに第２会議室３００Ａを撮像した画像が表示される。このため、第３会議室３００Ｂの参加者は、第１スクリーン２０４Ｂに向かって右側に第１会議室３００の様子を確認でき、さらに、その右側に第２会議室３００Ａの様子を確認できる。したがって、第３会議室３００Ｂの参加者は、第１スクリーン２０４Ｂに向かって右側に第１会議室３００の空間が配置され、さらにその右側に第２会議室３００Ａの空間が配置されているように知覚する。
【００８６】
第１〜第３仮想会議室のいずれにおいても第１〜第３会議室３００，３００Ａ，３００Ｂが配置される順番は同じである。このため、第１〜第３会議室３００，３００Ａ，３００Ｂの参加者のすべてが、あたかも同じ空間にいるような仮想空間を構成することができる。
【００８７】
次に、参加者の視線を合せた仮想会議室について説明する。ここでの視線は、第１〜第３会議室３００，３００Ａ，３００Ｂそれぞれの参加者の視線であり、第１〜第３会議室３００，３００Ａ，３００Ｂそれぞれで表示されている発表用データに向く視線をいう。この参加者の視線を合せた仮想会議室を実現するために、第１〜第３会議室それぞれにおいて、第２および第３スクリーン２０６，２０８，２０６Ａ，２０８Ａ，２０６Ｂ，２０８Ｂは、その中心の法線が、参加者よりもカメラ２０１，２０１Ａ，２０１Ｂ側に位置する。
【００８８】
図１０（Ａ）は、参加者の視線を合せた第１仮想会議室を模式的に示す図である。図１０（Ａ）を参照して、第２および第３スクリーン２０６，２０８の中心の法線が、参加者よりもカメラ２０１側に位置する。図１０（Ｂ）は、参加者の視線を合せた第２仮想会議室を模式的に示す図である。図１０（Ｂ）を参照して、第２および第３スクリーン２０６Ａ，２０８Ａの中心の法線が、参加者よりもカメラ２０１Ａ側に位置する。図１０（Ｃ）は、参加者の視線を合せた第３仮想会議室を模式的に示す図である。図１０（Ｃ）を参照して、第２および第３スクリーン２０６Ｂ，２０８Ｂの中心の法線が、参加者よりもカメラ２０１Ｂ側に位置する。
【００８９】
参加者の視線を合せた第１〜第３仮想会議室においては、第１会議室３００の参加者の視線が第１〜第４スクリーン２０４，２０６，２０８，２１０のいずれに向かっているのかを、第２会議室３００Ａの参加者が第３スクリーン２０６Ａに映る第１会議室３００の参加者の画像から判断でき、第３会議室３００Ｂの参加者が第２スクリーン２０６Ｂに映る第１会議室３００の参加者の画像から判断できる。
【００９０】
第２会議室３００Ａの参加者の視線が第１〜第４スクリーン２０４Ａ，２０６Ａ，２０８Ａ，２１０Ａのいずれに向かっているのかを、第１会議室３００の参加者が第２スクリーン２０６に映る第２会議室３００Ａの参加者の画像から判断でき、第３会議室３００Ｂの参加者が第４スクリーン２１０Ｂに映る第２会議室３００Ａの参加者の画像から判断できる。
【００９１】
第３会議室３００Ｂの参加者の視線が第１〜第４スクリーン２０４Ｂ，２０６Ｂ，２０８Ｂ，２１０Ｂのいずれに向かっているのかを、第１会議室３００の参加者が第３スクリーン２０８に映る第３会議室３００Ｂの参加者の画像から判断でき、第２会議室３００Ａの参加者が第４スクリーン２１０Ａに映る第３会議室３００Ｂの参加者の画像から判断できる。
【００９２】
図１１は、発表用データ送信処理の流れの一例を示すフローチャートである。発表用データ送信処理は、ＭＦＰ１００が備えるＣＰＵ１１１がＲＯＭ１１３、ＥＥＰＲＯＭ１１５、ＨＤＤ１１６またはフラッシュメモリ１１９Ａに記憶された表示制御プログラムを実行することにより、ＣＰＵ１１１により実行される処理である。
【００９３】
図１１を参照して、ＣＰＵ１１１は、データの指定を受け付けたか否かを判断する（ステップＳ０１）。ユーザが、操作部１０５を操作することにより、ＨＤＤ１１６に記憶されたデータのうちから１つを指定すると、データの指定を受け付ける。データの指定を受け付けるまで待機状態となり（ステップＳ０１でＮＯ）、データの指定を受け付けたならば（ステップＳ０１でＹＥＳ）、処理をステップＳ０２に進める。ステップＳ０２においては、ユーザにより指定されたデータを第１発表用データとして、他の装置に送信する。他の装置は、予め定められており、ここではＭＦＰ１００ＡおよびＭＦＰ１００Ｂである。
【００９４】
ステップＳ０３においては、ステップＳ０１においてユーザにより指定された第１発表用データを表示する。具体的には、第１表示装置２０３に第１発表用データを出力し、第１表示装置２０３に第１発表用データの画像を表示させる。次のステップＳ０４においては、第１発表用データを表示させた第１表示装置２０３から第１パラメータを取得し、取得した第１パラメータを、ＭＦＰ１００ＡおよびＭＦＰ１００Ｂに送信する。
【００９５】
次のステップＳ０５においては、ページが切り換えられたか否かを判断する。ユーザが操作部１０５を操作することにより、第１発表用データに含まれる複数ページのうち表示しているページを別のページに切り換える操作を入力したならば、ページが切り換えられたと判断する。ページが切り替えられたならば処理をステップＳ０２に戻し、そうでなければ処理をステップＳ０６に進める。処理がステップＳ０２に戻る場合、ステップＳ０２においては、切り換え後のページの画像をＭＦＰ１００ＡおよびＭＦＰ１００Ｂに送信する。
【００９６】
ステップＳ０６においては、会議終了指示を受け付けたか否かを判断する。ユーザが操作部１０５を操作することにより、会議を終了させるために予め割り当てられたボタンを押下すれば、会議終了指示を受け付ける。会議終了指示を受け付けたならば処理を終了するが、そうでなければ処理をステップＳ０２に戻す。
【００９７】
図１２は、撮像画像送信処理の流れの一例を示すフローチャートである。撮像画像送信処理は、ＭＦＰ１００が備えるＣＰＵ１１１がＲＯＭ１１３、ＥＥＰＲＯＭ１１５、ＨＤＤ１１６またはフラッシュメモリ１１９Ａに記憶された表示制御プログラムを実行することにより、ＣＰＵ１１１により実行される処理である。撮像画像送信処理は、上述した発表用データ送信処理と並行して実行される。
【００９８】
図１２を参照して、ＣＰＵ１１１は、カメラ２０１を制御して、撮像を開始する（ステップＳ１１）。カメラ２０１は、動画像を出力するので、ＣＰＵ１１１はカメラ２０１が出力する動画像を取得する。次のステップＳ１２においては、取得された動画像に含まれるフレームからスクリーン領域を抽出する。スクリーン領域は、第１スクリーン２０４が表された領域である。次のステップＳ１３においては、フレームからスクリーン領域をマスクした第１部分画像を生成する。次のステップＳ１４においては、第１部分画像と、第１部分画像中のスクリーン領域の位置を含む第１表示領域情報とを、他の装置、ここではＭＦＰ１００ＡおよびＭＦＰ１００Ｂそれぞれに送信する。
【００９９】
次のステップＳ１５においては、ポインタを検出したか否かを判断する。レーザビームのポインタの形状および色を予め記憶しておき、フレームから予め記憶された形状および色の画像を検出した場合に、ポインタを検出したと判断する。ポインタを検出したならば処理をステップＳ１６に進めるが、そうでなければステップＳ１６をスキップして処理をステップＳ１７に進める。ステップＳ１６においては、検出されたポインタのフレーム中の位置を指示位置としてＭＦＰ１００ＡおよびＭＦＰ１００Ｂに送信する。
【０１００】
ステップＳ１７においては、会議終了指示を受け付けたか否かを判断する。会議終了指示を受け付けたならば処理を終了するが、そうでなければ処理をステップＳ１２に戻す。
【０１０１】
図１３は、表示制御処理の流れの一例を示すフローチャートである。表示制御処理は、ＭＦＰ１００が備えるＣＰＵ１１１がＲＯＭ１１３、ＥＥＰＲＯＭ１１５、ＨＤＤ１１６またはフラッシュメモリ１１９Ａに記憶された表示制御プログラムを実行することにより、ＣＰＵ１１１により実行される処理である。表示制御処理は、上述した発表用データ送信処理および撮像画像送信処理と並行して実行される。
【０１０２】
図１３を参照して、ＣＰＵ１１１は、配列順番を受け付けたか否かを判断する（ステップＳ２１）。ユーザが、操作部１０５に配列順番を入力したならば、配列順番を受け付ける。配列順番を受け付けたならば処理をステップＳ２２に進めるが、そうでなければ処理をステップＳ２３に進める。ステップＳ２２においては、受け付けられた配列順番を、ＭＦＰ１００ＡおよびＭＦＰ１００Ｂに送信し、処理をステップＳ２４に進める。ここでは、ユーザが操作部１０５に、左から順に第３会議室３００Ｂ、第１会議室３００および第２会議室３００Ａとする配列順番を入力した場合を例に説明する。なお、ここでは、配列順番をユーザが設定する場合を例に説明するが、ＭＦＰ１００，１００Ａ，１００Ｂのいずれかにおいて、任意の順番に決定するようにしてもよい。
【０１０３】
ステップＳ２３においては、ネットワークＩ／Ｆ１１９が、ＭＦＰ１００ＡまたはＭＦＰ１００Ｂのいずれかから配列順番を受信したか否かを判断する。ＭＦＰ１００ＡまたはＭＦＰ１００Ｂのいずれかから配列順番を受信したならば処理をステップＳ２４に進めるが、そうでなければ処理をステップＳ２１に戻す。すなわち、表示制御処理は、ユーザが操作部１０５に配列順番を入力すること、またはＭＦＰ１００ＡまたはＭＦＰ１００Ｂのいずれかから配列順番を受信することのいずれかを条件に実行される処理である。なお、ＭＦＰ１００，１００Ａ，１００Ｂのいずれかが、任意に配列順番を決定する場合には、配列順番が決定された後に、ステップＳ２４以降の処理が実行される。
【０１０４】
ステップＳ２４においては、会議室と表示装置との組を決定する。ステップＳ２１において受け付けられた配列順番、またはステップＳ２３において受信された配列順番に基づいて、会議室と表示装置の組を決定する。ここでは、ステップＳ２１において、左から順に第３会議室３００Ｂ、第１会議室３００および第２会議室３００Ａの配列順番が受け付けられるので、第２会議室３００Ａと第２表示装置２０５との組を決定し、第３会議室３００Ｂと第３表示装置２０７との組を決定する。第２会議室３００Ａの様子を示す画像を、第１スクリーン２０４の右側に配置された第２スクリーン２０６に表示し、第３会議室３００Ｂの様子を示す画像を、第１スクリーン２０４の左側に配置された第３スクリーン２０８に表示するためである。
【０１０５】
次のステップＳ２５においては、ステップＳ２４において決定された会議室と表示装置との組に基づいて、第１合成画像を生成し、表示する。ステップＳ２６においては、ステップＳ２４において決定された会議室と表示装置との組に基づいて、第２合成画像を生成し、表示する。
【０１０６】
ここでは、ステップＳ２４において決定された第２会議室３００Ａと第２表示装置２０５との組に基づいて、第１合成画像を生成する。図１１において説明した発表用データ送信処理がＭＦＰ１００Ａの備えるＣＰＵ１１１Ａにおいて実行されると、第２発表用データが送信される。図１２において説明した撮像画像送信処理が、ＭＦＰ１００Ａの備えるＣＰＵ１１１Ａにおいて実行されると、カメラ２０１Ａにおいて撮像された第２会議室３００Ａの動画像からスクリーン領域をマスクした第２部分画像と第２表示領域情報が送信される。ステップＳ２５においては、ＭＦＰ１００Ａから受信される第２部分画像に、その第２表示領域情報において特定される部分に、第２発表用データを合成することにより第１合成画像を生成する。そして、生成された第１合成画像を、第２表示装置２０５に出力し、第２スクリーン２０６に投影させる。これにより、第１合成画像が第２スクリーン２０６に表示される。
【０１０７】
また、図１１において説明した発表用データ送信処理がＭＦＰ１００Ｂの備えるＣＰＵ１１１Ｂにおいて実行されると、第３発表用データが送信される。図１２において説明した撮像画像送信処理が、ＭＦＰ１００Ｂの備えるＣＰＵ１１１Ｂにおいて実行されると、カメラ２０１Ｂにおいて撮像された第３会議室３００Ｂの動画像からスクリーン領域をマスクした第３部分画像と第３表示領域情報が送信される。ステップＳ２６においては、ＭＦＰ１００Ｂから受信される第３部分画像に、その第３表示領域情報において特定される部分に、第３発表用データを合成することにより第２合成画像を生成する。そして、生成された第２合成画像を、第３表示装置２０５に出力し、第３スクリーン２０８に投影させる。これにより、第２合成画像が第３スクリーン２０８に表示される。
【０１０８】
ステップＳ２７においては、会議終了指示を受け付けたか否かを判断する。会議終了指示を受け付けたならば処理を終了するが、そうでなければ処理をステップＳ２５に戻す。会議終了指示が受け付けられるまで、第１合成画像、換言すれば、第２会議室３００Ａを撮像した動画像と、第２発表用データを含む画像とを合成した動画像が、第２スクリーン２０６に表示されるとともに、第２合成画像、換言すれば、第３会議室３００Ｂを撮像した動画像と、第３発表用データを含む画像とを合成した動画像が、第３スクリーン２０８に表示される。
【０１０９】
図１３に示した表示制御処理が、ＭＦＰ１００Ａが備えるＣＰＵ１００Ａにおいて実行される場合、ステップＳ２３において、左から順に第３会議室３００Ｂ、第１会議室３００および第２会議室３００Ａの配列順番がＭＦＰ１００から受信される。ステップＳ２４においては、第１会議室３００と第３表示装置２０７Ａとの組を決定し、第３会議室３００Ｂと第４表示装置２０９Ａとの組を決定する。第１会議室３００の様子を示す画像を、第１スクリーン２０４Ａの左側に配置された第３スクリーン２０８Ａに表示し、第３会議室３００Ｂの様子を示す画像を、第３スクリーン２０８Ａの左側に配置された第４スクリーン２１０Ａに表示するためである。
【０１１０】
そして、ステップＳ２５において、決定された第１会議室３００と第３表示装置２０７Ａとの組に基づいて、第１合成画像を生成し、第３表示装置２０７Ａに表示させる。第１合成画像は、ＭＦＰ１００から受信される第１部分画像に、その第１表示領域情報において特定される部分に、第１発表用データを合成した画像である。また、ステップＳ２６においては、決定された第３会議室３００Ｂと第４表示装置２０９Ａとの組に基づいて、第２合成画像を生成し、第４表示装置２０９Ａに表示させる。第２合成画像は、ＭＦＰ１００Ｂから受信される第３部分画像に、その第３表示領域情報において特定される部分に、第３発表用データを合成した画像である。
【０１１１】
図１３に示した表示制御処理が、ＭＦＰ１００Ｂが備えるＣＰＵ１００Ｂにおいて実行される場合、ステップＳ２３において、左から順に第３会議室３００Ｂ、第１会議室３００および第２会議室３００Ａの配列順番がＭＦＰ１００から受信される。ステップＳ２４においては、第１会議室３００と第２表示装置２０５Ｂとの組を決定し、第２会議室３００Ａと第３表示装置２０９Ｂとの組を決定する。第１会議室３００の様子を示す画像を、第１スクリーン２０４Ｂの右側に配置された第２スクリーン２０６Ｂに表示し、第３会議室３００Ｂの様子を示す画像を、第２スクリーン２０６Ｂの右側に配置された第４スクリーン２１０Ｂに表示するためである。
【０１１２】
そして、ステップＳ２５において、決定された第１会議室３００と第２表示装置２０５Ａとの組に基づいて、第１合成画像を生成し、第２表示装置２０５Ａに表示させる。第１合成画像は、ＭＦＰ１００から受信される第１部分画像に、その第１表示領域情報において特定される部分に、第１発表用データを合成した画像である。また、ステップＳ２６においては、決定された第３会議室３００Ｂと第４表示装置２０９Ｂとの組に基づいて、第２合成画像を生成し、第４表示装置２０９Ｂに表示させる。第２合成画像は、ＭＦＰ１００Ａから受信される第２部分画像に、その第２表示領域情報において特定される部分に、第２発表用データを合成した画像である。
【０１１３】
＜第２の実施の形態＞
第１の実施の形態における会議システム１においては、地理的に離れた３つの第１〜第３会議室３００，３００Ａ，３００Ｂおいて、第１〜第３発表用データをそれぞれ表示するようにした。第２の実施の形態における会議システム１Ａにおいては、地理的に離れた複数の会議室のうち１つの会議室においてのみ発表用データを表示するものである。ここでは、地理的に離れた第１および第２会議室３００Ａで会議する場合であって、第１会議室３００において発表用データを表示する場合を例に説明する。
【０１１４】
図１４は、本発明の第２の実施の形態における会議システム全体の概要を示す図である。図１４を参照して、第２の実施の形態における会議システム１Ａは、ネットワーク２に接続されたＭＦＰ１００，１００Ａを含む。ＭＦＰ１００は、第１会議室３００に設置され、第１会議室３００に設置されたカメラ２１１および第１および第２表示装置２１３，２１５と、接続される。ＭＦＰ１００Ａは、第２会議室３００Ａに設置され、第２会議室３００Ａに設置されたカメラ２２１および第３表示装置２２３と、接続される。
【０１１５】
第１会議室３００に設置されるＭＦＰ１００は、カメラ２１１および第１および第２表示装置２１３，２１５を制御する制御装置として機能し、第２会議室３００Ａに設置されるＭＦＰ１００Ａは、カメラ２２１および第３表示装置２２３を制御する制御装置として機能する。第１〜第３表示装置２１３，２１５，２２３は、プロジェクタであり、画像をスクリーンに投影する。
【０１１６】
第１会議室３００に設置されるＭＦＰ１００，１００Ａのハードウエア構成は、図６に示したのと同じである。また、説明のために、ＭＦＰ１００Ａが備える部材および機能に、ＭＦＰ１００が備える部材および機能に付した番号に英字「Ａ」を追加した符号を付す。
【０１１７】
図１５は、第２の実施の形態における第１会議室におけるカメラ、第１および第２表示装置の配置を示す図である。図１５は、第１会議室３００を上から見た図である。図１５を参照して、第１会議室３００には、第１表示装置２１３が投影する画像が表示される表示面となる第１スクリーン２１４と、第２表示装置２１５が投影する画像が表示される表示面となる第２スクリーン２１６と、カメラ２１１が配置される。第１および第２表示装置２１３，２１５は、第１会議室３００の天井に配置され、第１および第２スクリーン２１４，２１６とは対面して配置される。カメラ２１１は、第２スクリーン２１６の上側に配置され、第１スクリーン２１４を撮像範囲に含む画角を有する。
【０１１８】
図１６は、第２の実施の形態における第２会議室におけるカメラ、第３表示装置の配置を示す図である。図１６は、第２会議室３００Ａを上から見た図である。図１６を参照して、第２会議室３００Ａには、カメラ２２１と、第３表示装置２２３と、第３表示装置２２３が投影する画像が表示される表示面となる第３スクリーン２２２と、が配置される。第３表示装置２２３は、第２会議室３００Ａの天井に配置される。第１および第２スクリーン２１４，２１６とは対面して配置される。カメラ２２１は、第３スクリーン２２２の上側に配置され、第３スクリーン２２２側から第２会議室３００Ａの全体を撮像範囲に含む画角を有する。
【０１１９】
第２の実施の形態における会議システム１Ａは、ＭＦＰ１００，１００Ａが第１および第２仮想会議室をそれぞれ形成する。第１および第２仮想会議室は、第１および第２会議室３００，３００Ａを用いて会議する場合に、ＭＦＰ１００，１００Ａそれぞれで形成される仮想的な会議室である。ＭＦＰ１００が形成する第１仮想会議室は、第１会議室３００に参加する参加者は、第１会議室３００内の他の参加者を直接確認し、第２会議室３００Ａの様子を第２スクリーン２１６に表示された画像で確認する。ＭＦＰ１００Ａが形成する第２仮想会議室は、第２会議室３００Ａに参加する参加者は、第２会議室３００Ａ内の他の参加者を直接確認し、第１会議室３００の様子を、第３スクリーン２２２に表示された画像で確認する。
【０１２０】
図１７は、第２の実施の形態における第１仮想会議室を形成するＭＦＰが備えるＣＰＵの機能の概要の一例を示すブロック図である。図１７に示すＣＰＵ１１１の機能は、ＣＰＵ１１１がＲＯＭ１１３、ＥＥＰＲＯＭ１１５、ＨＤＤ１１６またはフラッシュメモリ１１９Ａに記憶された表示制御プログラムを実行することにより実現される。
【０１２１】
図１７を参照して、図７に示した機能と異なる点は、配列決定部６５、受信部６３、表示画像決定部６７、第１合成部６９、第２合成部７０、第２〜第３表示制御部７２，７３，７４が削除され、受信部７５および第２表示制御部７７が追加された点である。その他の機能は、図７で説明したのと同じなので、ここでは説明を繰り返さない。
【０１２２】
送信部５７は、表示データ取得部６１から入力される第１発表用データと、第１表示制御部７１から入力される第１パラメータとの組を、ネットワークＩ／Ｆ１１８を介して、ＭＦＰ１００Ａに送信する。また、送信部５７は、部分画像生成部５５から入力される第１部分画像と第１表示領域情報とを、ネットワークＩ／Ｆ１１８を介して、ＭＦＰ１００Ａに送信する。第１部分画像は、例えば、ストリーミング配信の技術を用いて、リアルタイムで送信する。
【０１２３】
受信部７５は、ネットワークＩ／Ｆ１１８を制御して、後述するＭＦＰ１００Ａが送信する撮像画像を受信する。撮像画像は動画像である。受信部７５は、撮像画像を第２表示制御部７７に出力する。
【０１２４】
第２表示制御部７７は、受信部７５から撮像画像が入力され、第２表示装置２１５を制御し、第２表示装置２１５に撮像画像を表示させる。第２表示制御部７７は、第２表示装置２１５に撮像画像を投影させるので、第２スクリーン２１６に第２会議室３００Ａを第３スクリーン２２２側から撮像した画像が表示される。
【０１２５】
図１８は、第２の実施の形態における第２仮想会議室を形成するＭＦＰが備えるＣＰＵの機能の概要の一例を示すブロック図である。図１８に示すＣＰＵ１１１Ａの機能は、ＣＰＵ１１１ＡがＲＯＭ１１３、ＥＥＰＲＯＭ１１５、ＨＤＤ１１６またはフラッシュメモリ１１９Ａに記憶された表示制御プログラムを実行することにより実現される。
【０１２６】
図１８を参照して、ＣＰＵ１１１Ａは、撮像制御部９１と、送信部９２と、受信部９３と、合成部９５と、第３表示制御部９７と、を含む。
【０１２７】
撮像制御部９１は、カメラ２２１を制御し、カメラ２２１が撮像して出力する動画像を取得する。カメラ２２１は、上述したように、その画角が第２会議室３００Ａの全体を撮像範囲に含む画角を有する。このため、カメラ２２１が出力する動画像は、第２会議室３００Ａの参加者を含む画像である。撮像制御部９１は、カメラ２２１から取得される動画像をリアルタイムで送信部９２に出力する。
【０１２８】
送信部９２は、撮像制御部９１から入力される動画像を撮像画像として、ネットワークＩ／Ｆ１１８Ａを介して、ＭＦＰ１００に送信する。受信部９３は、ネットワークＩ／Ｆ１１８Ａを制御して、ＭＦＰ１００が送信する第１発表用データと第１パラメータとの組、第１部分画像と第１表示領域情報との組を受信する。受信部９３は、第１発表用データと第１パラメータとの組、第１部分画像と第１表示領域情報との組を、合成部９５に出力する。
【０１２９】
合成部９５は、第１部分画像の第１表示領域情報で特定されるスクリーン領域に、第１発表用データを合成した合成画像を生成する。合成部９５は、第３表示装置２２３を制御する第３表示制御部９７に、生成された合成画像を出力する。より詳細には、合成部９５は、第１表示領域情報により特定される第１部分画像中のスクリーン領域を検知し、検知した第１部分画像中のスクリーン領域に基づいて、スクリーン係数を算出する。そして、算出されたスクリーン係数および第１パラメータに基づいて、発表用データの画像を変形する。具体的には、スクリーン係数に基づいて第１発表用データの画像を縮小するとともに、第１パラメータに基づいて発表用画像の色温度を変更する。発表用画像は、第１パラメータに基づいて色温度が変更されるため、第１会議室３００で表示されている第１発表用データの画像と同じ色温度の画像となる。合成部９５は、第１表示領域情報が指示位置を含む場合、合成画像の指示位置で特定される部分に、レーザポインタが照射されたことを示す画像を合成する。
【０１３０】
第３表示制御部９７は、第３表示装置２２３に合成画像を投影させるので、第３スクリーン２２２に合成画像が表示される。合成画像は、第１会議室３００を撮像した画像を含む。
【０１３１】
第２の実施の形態における会議システムにおいては、第１会議室３００の参加者は、第２スクリーン２１６に表示された画像から第２会議室３００Ａに参加している参加者を確認することができ、第２会議室３００Ａの参加者は、第３スクリーン２２２に表示された画像から第１会議室に参加している参加者を確認することができる。
【０１３２】
＜変形例＞
第２の実施の形態における会議システム１Ａにおいては、第２会議室と同じ構成の第３会議室を追加することができる。この場合、ＭＦＰ１００が備えるＣＰＵ１１１が有する受信部７５は、ＭＦＰ１００Ａから第２会議室を撮像した動画像を受信するのに加えて、第３会議室に設置されたＭＦＰ１００Ｂから第３会議室を撮像した動画像を受信する。第２表示制御部７７は、第２会議室を撮像した動画像と、第３会議室を撮像した動画像とを、横に並べた１つの合成画像を生成し、生成された合成画像を第２表示装置２１５に表示させる。
【０１３３】
図１９は、第２の実施の形態の変形例における仮想会議室を模式的に示す図である。図１９を参照して、第２会議室３００Ａにおいて、第３スクリーン２２２には、第１会議室３００を撮像した動画像が表示され、カメラ２２１によって第３スクリーン２２２側から第２会議室３００Ａが撮像される。第３会議室３００Ｂにおいて、第３スクリーン２２２Ｂには、第１会議室３００を撮像した動画像が表示され、カメラ２２１Ｂによって第３スクリーン２２２Ｂ側から第３会議室３００Ａが撮像される。
【０１３４】
したがって、第２会議室３００Ａの第３スクリーン２２２と、第３会議室３００Ｂの第３スクリーン２２２Ｂとには、同じ動画像が表示される。第１会議室３００の第２スクリーン２１６には、第２会議室３００Ａを撮像した動画像と、第３会議室３００Ｂを撮像した動画像とが表示される。このため、第１会議室３００にいる発表者３０５は、第１会議室３００にいる他の参加者を直接確認することができるとともに、第２スクリーン２１６に表示された画像から第２会議室３００Ａおよび第３会議室３００Ｂにいる参加者を確認することができる。一方、第２会議室３００Ａの参加者は、第３スクリーン２２２に表示された画像から第１会議室３００に参加している参加者を確認することができ、第３会議室３００Ｂの参加者は、第３スクリーン２２２Ｂに表示された画像から第１会議室３００に参加している参加者を確認することができる。
【０１３５】
なお、上述した実施の形態においては、制御装置の一例としてＭＦＰ１００，１００Ａ，１００Ｂを説明したが、図１１〜図１３に示した処理をＭＦＰ１００，１００Ａ，１００Ｂに実行させるための表示制御方法または、その表示制御方法をコンピュータに実行させるための表示制御プログラムとして発明を捉えることができるのは言うまでもない。
【０１３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３７】
１、１Ａ  会議システム、２  ネットワーク、９  操作パネル、１０  ＡＤＦ、２０  原稿読取部、３０  画像形成部、４０  給紙部、５１  撮像制御部、５３  スクリーン領域抽出部、５５  部分画像生成部、５７  送信部、５９  操作受付部、６１  表示データ取得部、６３  受信部、６５  配列決定部、６７  表示画像決定部、６９  第１合成部、７０  第２合成部、７１  第１表示制御部、７２  第２表示制御部、７３  第３表示制御部、７４  第４表示制御部、７５  受信部、７７  第２表示制御部、８１  スクリーン領域検知部、８３  スクリーン係数決定部、８５  発表用画像取得部、８７  変形部、８９  発表画像合成部、９０  画像調整部、９１  撮像制御部、９２  送信部、９３  受信部、９５  合成部、９７  第３表示制御部、１００，１００Ａ，１００Ｂ  ＭＦＰ、１０１  メイン回路、１０３  表示部、１０５  操作部、１１１  ＣＰＵ、１１２  通信Ｉ／Ｆ部、１１３  ＲＯＭ、１１４  ＲＡＭ、１１５，１１５Ａ  ＥＥＰＲＯＭ、１１６  ＨＤＤ、１１７  ファクシミリ部、１１８  ネットワークＩ／Ｆ、１１９  カードＩ／Ｆ、１１９Ａ  フラッシュメモリ、２０１，２０１Ａ，２０１Ｂ  カメラ、２０３，２０３Ａ，２０３Ｂ  第１表示装置、２０４，２０４Ａ，２０４Ｂ  第１スクリーン、２０５，２０５Ａ，２０５Ｂ  第２表示装置、２０６，２０６Ａ，２０６Ｂ  第２スクリーン、２０７，２０７Ａ，２０７Ｂ  第３表示装置、２０８，２０８Ａ，２０８Ｂ  第３スクリーン、２０９，２０９Ａ，２０９Ｂ  第４表示装置、２１０，２１０Ａ，２１０Ｂ  第４スクリーン、２１１，２２１  カメラ、２１３，２１５，２２３  第１〜第３表示装置、２１４，２１６，２２２  第１〜第３スクリーン。
【図１】
0005381908.tif 000002
【図２】
0005381908.tif 000003
【図３】
0005381908.tif 000004
【図４】
0005381908.tif 000005
【図５】
0005381908.tif 000006
【図６】
0005381908.tif 000007
【図７】
0005381908.tif 000008
【図８】
0005381908.tif 000009
【図９】
0005381908.tif 000010
【図１０】
0005381908.tif 000011
【図１１】
0005381908.tif 000012
【図１２】
0005381908.tif 000013
【図１３】
0005381908.tif 000014
【図１４】
0005381908.tif 000015
【図１５】
0005381908.tif 000016
【図１６】
0005381908.tif 000017
【図１７】
0005381908.tif 000018
【図１８】
0005381908.tif 000019
【図１９】
0005381908.tif 000020